(57)【要約】【課題】タグに取り付けやすく、また、取り付けたことを確実に了知し得るタグ用クリップを提供する。【解決手段】オスクリップ本体１２とメスクリップ本体１４とを折り畳むことにより、オスクリップ本体１２に形成されたピン１８がメスクリップ本体１４に形成されたピン孔３４に嵌まる。ピン１８の先端外周部には係止片２４が放射状に設けられる。この係止片２４がバンド穴に係合してピン１８がバンド穴から抜けるのが防止される。ピン孔３４は、半球状に形成されたフラップ部３２の中央に形成される。フラップ部３２には、放射状にスリット３６が形成され、ピン孔３４が拡縮できるように形成される。フラップ部３２が半球状に形成されることにより、リストバンドの生地の噛み込みを防止できる。また、ピン１８の頭部２２が通過した後にピン孔３４の内周部でピン１８を打って係合音を鳴らすことができ、ピン１８にピン孔３４が嵌められたことを了知できる。【選択図】図２
2013215336.tif 000002
【特許請求の範囲】
【請求項１】
両端にタグ穴が形成されたタグを環状に巻き止めるタグ用クリップにおいて、
オスクリップ本体と、
メスクリップ本体と、
前記オスクリップ本体と前記メスクリップ本体とを折り畳み可能に連結するヒンジと、
前記オスクリップ本体に形成され、前記タグ穴が通されるピンと、
前記ピンの頂部に形成される傘状の頭部と、
前記ピンの外周に放射状に形成され、前記ピンに通された前記タグ穴の周縁に係合して抜け止めする係止片と、
前記メスクリップ本体に形成され、前記ピンが収容される収容孔と、
前記収容孔の内部に形成され、前記ピンの挿入方向に凸となるように膨出して形成される半球状のフラップ部と、
前記フラップ部の中央に形成され、前記ピンの外径と略同じ径で形成されるピン孔と、
前記フラップ部に放射状に形成され、前記フラップ部の弾性変形による前記ピン孔の拡縮を可能にするスリットと、
からなり、前記オスクリップ本体と前記メスクリップ本体とを折り畳むことにより、前記ピンが前記ピン孔に挿入されること、
を特徴とするタグ用クリップ。
【請求項２】
請求項１に記載のタグ用クリップにおいて、
前記ピンは、先端にクビレ部が形成され、前記ピン孔は、前記クビレ部の外径と略同じ径で形成されること、
を特徴とするタグ用クリップ。
【発明の詳細な説明】
【技術分野】
【０００１】
本発明はタグ用クリップに係り、特に両端にタグ穴が形成されたタグを環状に巻き止めるためのタグ用クリップに関する。
【背景技術】
【０００２】
従来から、航空機搭乗時等に、スーツケース等の荷物の取手部分等にタグを装着することが行われている。
【０００３】
この種のタグは、通常、プリンタで印字することができるように、シート状の素材が用いられる。このタグは、例えば、荷物の取手部分に環状にして巻き付けて粘着材を利用して装着されるものがある（例えば、特許文献１）。
しかし、粘着材を用いる場合には、タグの保管時に粘着材を保護する剥離紙（台紙）がタグの粘着材に仮着しており、使用時には、この剥離紙がゴミとなってしまう。
【０００４】
また、病院では、患者の取り違え等のミスを防止するため、患者の名前等の情報が印字されたタグ（リストバンド）を患者の手首（あるいは足首）に装着して、患者を管理することが行われている。
【０００５】
この種のタグも、通常、プリンタで印字することができるように帯状に形成され、印字後は専用のクリップを用いて手首に装着される。このクリップは、ピンが形成されたオスクリップと、ピン孔が形成されたメスクリップとで構成され、オスクリップに形成されたピンをリストバンドの両端に形成されたバンド穴に通し、メスクリップに形成されたピン孔に嵌めることにより、タグを環状に巻き止める。
【０００６】
上述した荷物用のタグ及び病院等で使用されるタグのいずれも、容易に外せる構成であると、荷物の紛失や、重大な医療事故に発展するおそれがある。したがって、一度装着したタグは、ハサミ等で切断しない限り外せない構成とする必要がある。このためタグ用クリップも一度ピンをピン孔に嵌めたら、抜けない構成とする必要がある。
【０００７】
特許文献２には、ピンの抜けを防止する構造として、ピンの先端に第１の拡径部である円錐状の係止部を形成するとともに、さらにその先端に第２の拡径部である逆止部を形成すること、及び、ピン孔の内周部の形状を係止部の形状に対応して逆円錐状に形成することが提案されている。
【先行技術文献】
【特許文献】
【０００８】
【特許文献１】特開２０１０−１９１２３０号公報
【特許文献２】特開２００５−１６０５５１号公報
【発明の概要】
【発明が解決しようとする課題】
【０００９】
ところで、ピンに形成される円錐状の係止部は、ピンのホールド性を強化する一方、タグを手首に装着する際、ピンに通したタグ穴がピンから抜けるのを防止する機能も備えている。このため、係止部はタグ穴の径よりも若干大きく形成されるが、特許文献２のように、係止部が円錐状に形成されていると、強い力でピンをタグ穴に通さないと、タグ穴が係止部を乗り越えることができず、装着しにくいという欠点がある。また、タグ穴が係止部を完全に乗り越えていない状態でピンをピン孔に嵌めてしまうという事態が生じやすく、この結果、係止部とピン孔との間にタグの生地を噛み込んで、ピンが嵌めづらくなったり、嵌め込みに多大な力を要したりするという欠点がある。また、タグの生地を噛み込むことにより、ピンがピン孔に嵌まっても、係合音がしなくなり、ピンが確実に嵌まっているのか分かりづらくなるという欠点もある。さらに、タグの生地を噛み込むことにより、ピンの嵌め込みが不完全になり、装着の途中で外れてしまうという問題もある。特に、タグの装着は、片手での作業となるため、タグ穴が係止部を完全に乗り越えていない状態でピンをピン孔に嵌めてしまうという事態が生じやすい。
【００１０】
本発明はこのような事情に鑑みてなされたもので、タグに取り付けやすく、また、取り付けたことを確実に了知し得るタグ用クリップを提供することを目的とする。
【課題を解決するための手段】
【００１１】
本発明は、以下のような解決手段により、前記課題を解決する。
【００１２】
請求項１の発明は、両端にタグ穴が形成されたタグを環状に巻き止めるタグ用クリップにおいて、オスクリップ本体と、メスクリップ本体と、前記オスクリップ本体と前記メスクリップ本体とを折り畳み可能に連結するヒンジと、前記オスクリップ本体に形成され、前記タグ穴が通されるピンと、前記ピンの頂部に形成される傘状の頭部と、前記ピンの外周に放射状に形成され、前記ピンに通された前記タグ穴の周縁に係合して抜け止めする係止片と、前記メスクリップ本体に形成され、前記ピンが収容される収容孔と、前記収容孔の内部に形成され、前記ピンの挿入方向に凸となるように膨出して形成される半球状のフラップ部と、前記フラップ部の中央に形成され、前記ピンの外径と略同じ径で形成されるピン孔と、前記フラップ部に放射状に形成され、前記フラップ部の弾性変形による前記ピン孔の拡縮を可能にするスリットと、からなり、前記オスクリップ本体と前記メスクリップ本体とを折り畳むことにより、前記ピンが前記ピン孔に挿入されること、を特徴とするタグ用クリップである。
【００１３】
請求項２の発明は、請求項１に記載のタグ用クリップにおいて、前記ピンは、先端にクビレ部が形成され、前記ピン孔は、前記クビレ部の外径と略同じ径で形成されること、を特徴とするタグ用クリップである。
【発明の効果】
【００１４】
本発明によれば、タグの両端に形成されたタグ穴にオスクリップ本体に形成されたピンを通し、オスクリップ本体とメスクリップ本体とを折り畳むことにより、タグ用クリップを環状に巻き止める。オスクリップ本体に形成されるピンは、オスクリップ本体とメスクリップ本体とを折り畳むことにより、メスクリップ本体に形成されるピン孔に嵌まる。ピンは頂部に傘状の頭部が形成され、ピン孔はピンの外径と略同じ径で形成されるので、一度ピンがピン孔に嵌められると、ピンはピン孔から抜くことができなくなる。また、ピン孔は、ピンの頭部を通すことができるように拡縮可能に形成されるが、このピン孔を拡縮可能にする構造として、本発明では、ピンの挿入方向に凸となるように膨出させて半球状のフラップ部をメスクリップ本体に形成し、そのフラップ部の中央にピンの外径と略同じ径のピン孔を形成するとともに、フラップ部に複数のスリットを形成して、ピン孔が拡縮できるようにしている。これにより、ピン孔にピンの頭部を通す際、ピン孔を構成するフラップ部の先端部分を大きく撓ませることができる。また、これにより、ピンの頭部がピン孔を通過した際にピン孔の内周部分でピンの外周を強く打つことができ、確実に係合音を出すことができる。これにより、ピンがピン孔に嵌まったことを確実に了知することができる。また、本発明によれば、ピンには、ピンに通されたタグ穴の周縁に係合して抜け止めする係止片が設けられているため、ピンをタグ穴に通した後もタグ穴の抜けを防止でき、タグの装着を容易に行うことができる。また、この係止片は放射状に形成されるため、ピンを強い力でタグ穴に嵌めなくても簡単に通すことができ、かつ、確実に抜けも防止することができる。さらに、フラップ部の内周部との間でタグの生地を噛み込むこともない。
【００１５】
また、本発明によれば、ピンには先端にクビレ部が形成され、このクビレ部の外径と略同じ径でピン孔が形成される。ピンをピン孔に嵌めると、ピン孔を構成するフラップ部の先端は、このクビレ部に嵌まる。これにより、ピンが嵌められたメスクリップ本体の軸方向に対する移動を規制でき、ホールド性を増すことができる。また、ピンの径を太くでき、ピンの剛性を確保することができるとともに、係止片の突出量も小さくでき、係止片の剛性も確保することができる。
【図面の簡単な説明】
【００１６】
【図１】本発明に係るタグ用クリップの一実施形態を表す平面図である。
【図２】本発明に係るタグ用クリップの一実施形態を表す側面図である。
【図３】図１の３−３断面図である。
【図４】本発明に係るタグ用クリップの使用例を表す部分断面図である。
【図５】タグの一例を示す斜視図である。
【図６】タグ用クリップの変形例を示す平面図である。
【図７】タグ用クリップの変形例を示す側面図である。
【発明を実施するための形態】
【００１７】
以下、添付図面にしたがって本発明に係るタグ用クリップの好ましい実施の形態について詳説する。
【００１８】
≪タグ用クリップの構成≫
図１、図２は、それぞれ本発明に係るタグ用クリップの一実施形態を表す平面図、側面図である。また、図３は、図１の３−３断面図である。
【００１９】
本実施の形態のタグ用クリップ１０は、２つのタグ穴にピンを通して、タグを環状に巻き止めるタイプのものである。
【００２０】
図１〜図３に示すように、本実施の形態のタグ用クリップ１０は、オスクリップ本体１２と、メスクリップ本体１４と、オスクリップ本体１２とメスクリップ本体１４とを折り畳み可能に連結するヒンジ１６とで構成される。このタグ用クリップ１０は、弾性材料によって全体が一体的に形成される。
【００２１】
オスクリップ本体１２は、扁平な薄板状に形成され、その平面形状は、同じ径を有する２つの円の一部を重ねて並べた形状（８の字形状）に形成される。
【００２２】
オスクリップ本体１２の上面（メスクリップ本体１４と重ね合わされる面）には、各円の中心位置にピン１８、１８が垂直に立設される。
【００２３】
ピン１８は、所定高さを有する円柱状に形成される。このピン１８は、使用するタグのタグ穴に対応して形成され、その外径はタグ穴の内径と略同じ径（あるいは、若干小さい径）で形成される（タグ穴が長穴形状の場合は、その短径に対応して形成される。）。
【００２４】
ピン１８の先端部には、クビレ部２０が形成され、このクビレ部２０によってピン１８の頂部に頭部２２が形成される。
【００２５】
クビレ部２０は、ピン１８の基端部（図２及び図３における下端部）から所定高さの位置に形成され、ピン１８の軸方向に所定の幅をもって形成される。また、後述するように、その外径はメスクリップ本体１４に形成されるピン孔３４の内径と略同じ径に形成される。
【００２６】
頭部２２は、半球状に形成され、クビレ部２０の外周から張り出すようにして傘状に形成される。後述するように、この頭部２２はピン孔３４の逆止部として機能し、その基端部の端面は、オスクリップ本体１２の上面と平行になるように平坦に形成される。
【００２７】
また、ピン１８の外周には、クビレ部２０の下部位置に４つの係止片２４、２４、…が、放射状に張り出して形成される。各係止片２４は、矩形の板片状に形成され、ピン１８の基端部から所定高さの位置に形成される。
【００２８】
この係止片２４は、タグ用クリップ１０をタグに取り付ける際、ピン１８を通したタグ穴が、ピン１８から外れるのを防止する機能（タグに仮止めしておく機能）を提供する。したがって、係止片２４の突出量は、タグ穴の径に対応して設定され、ピン１８の中心から先端までの距離（半径）が、タグ穴の半径（タグ穴が長穴の場合は短径の半径）よりも大きくなるように設定される。
【００２９】
なお、本例において、各係止片２４は、その先端がピン１８の基端部から先端部に向かって下り勾配を呈するよう傾斜して形成される。これにより、ピン１８をタグ穴に通す際、通しやすくすることができ、かつ、タグ穴を通した後は、抜けにくくすることができる。
【００３０】
メスクリップ本体１４は、所定厚さを有する扁平な板状に形成され、その平面形状は、オスクリップ本体１２の平面形状に対応して形成される（同じ径を有する２つの円の一部を重ねて並べた形状（８の字形状））。
【００３１】
メスクリップ本体１４の上面（オスクリップ本体１２と重ね合わされる面と逆側の面（図１、２において下側の面））には、各円の中心位置に円形状の収容孔３０、３０が形成される。この収容孔３０、３０は、オスクリップ本体１２に形成されたピン１８、１８と同じ間隔で形成され、所定の内径をもって形成される。
【００３２】
収容孔３０の内部には、半球状のフラップ部３２が形成される。フラップ部３２は、所定の板厚をもって形成され、ピン１８の挿入方向に凸となるように膨出して形成される。したがって、フラップ部３２の内部には、ドーム状の空間が形成される。
【００３３】
フラップ部３２の中央には、ピン１８が嵌められるピン孔３４が形成される。ピン孔３４は、ピン１８の外径と略同じ径で形成される。
【００３４】
また、フラップ部３２には、２本のスリット３６が放射状に形成される。フラップ部３２は、このスリット３６により、径方向への弾性変形が可能になり、これにより、フラップ部３２の中央に形成されたピン孔３４が拡縮可能に形成される。
【００３５】
なお、本例において、フラップ部３２は、収容孔３０の基端部（図２及び図３において上端部）から先端部に向かって膨出するように形成され、その先端（ピン孔３４の上縁部を形成する端面）は平坦に形成される。また、フラップ部３２の先端の位置は、収容孔３０の先端部よりも低くなるように設定され、ピン１８を嵌めた際に、ピン１８の頭部２２が収容孔３０の先端部から突出しないように形成される。
【００３６】
ヒンジ１６は、オスクリップ本体１２とメスクリップ本体１４とを折り畳み可能に連結する。オスクリップ本体１２とメスクリップ本体１４とは対称に配置され、互いに中央部分をヒンジ１６で連結される。
【００３７】
ヒンジ１６は、屈曲可能な薄板状に形成され、その中央部に貫通孔３８が形成されるとともに、その貫通孔を挟んで対称にクビレ４０が形成される。ヒンジ１６は、このような貫通孔３８及びクビレ４０を形成することにより、中央部分で屈曲しやすくすることができる。
【００３８】
オスクリップ本体１２とメスクリップ本体１４は、図４に示すように、ヒンジ１６を中央部分で折り曲げることにより折り畳まれ、互いに重ね合わされる。この折り畳む動作によって、オスクリップ本体１２に形成された２つのピン１８が、メスクリップ本体１４に形成された２つのピン孔３４に嵌め込まれる。
【００３９】
本実施の形態のタグ用クリップ１０は、以上のように構成される。
【００４０】
なお、上記のように、本実施の形態のタグ用クリップ１０は、弾性材料によって全体が一体的に形成される。これにより、スリット３６を形成したとき、フラップ部３２が弾性変形可能に形成される。
【００４１】
使用する弾性材料としては、例えば、ポリエチレン、ポリプロピレン、ポリ塩化ビニル、ポリスチレン、ポリ酢酸ビニル、テフロン（登録商標）、ＡＢＳ樹脂、ＡＳ樹脂、アクリル樹脂や熱可塑性エラストマー、ゴム、ウレタン等の他、これら弾性材料の混合剤（ウレタンゴム等）を用いることができる。
【００４２】
また、弾性材料の硬度（弾性係数）は、弾性変形を容易とする程度が好ましく、例えば、タグと同程度か、それ以下の弾性材料を用いることが好ましい。
【００４３】
本例では、素材にポリエチレンを主体とする樹脂が用いられ、いわゆる樹脂成型により全体が一体的に形成される。
【００４４】
≪タグの構成≫
図５は、本実施の形態のタグ用クリップ１０によって巻き止められるタグ１の一例を示す斜視図である。
【００４５】
同図に示すように、このタグ１は、表示部２と、表示部２の両側に延びるバンド部３、４とで構成される。
【００４６】
表示部２は、バンド部３、４に比して幅広に形成され、所定の情報（飛行機に搭乗時に使用される場合は、例えば、搭乗者名、便名、空港名、バーコード、二次元コード等の情報）が印字される。
【００４７】
表示部２の両側に延びるバンド部３、４は、左右異なる長さで形成され、短い方のバンド部３には、２つのタグ穴６、６が一定の間隔をもって形成される。一方、長い方のバンド部４には、複数のタグ穴７、７、…が一定の間隔をもって形成される。このバンド部３、４に形成されるタグ穴６、７の形成間隔は、タグ用クリップ１０に形成される２つのピン１８の間隔と同じ間隔に設定される。また、その径は、ピン１８の外径と略同じ径で形成される。
【００４８】
短い方のバンド部３に形成されるタグ穴６、６は、タグ用クリップ１０をセットするためのタグ穴であり、長い方のバンド部４に形成されるタグ穴７、７、…は、タグ１の長さ調整用のタグ穴である。以下、短い方のバンド部３に形成されるタグ穴６、６については、長い方のバンド部４に形成されるタグ穴７、７、…と区別するため、セット穴６、６と表記する。
【００４９】
なお、本例では、タグ穴（セット穴６、タグ穴７）の形状を円形状としているが、タグ穴の形状は特に限定されるものではなく、例えば、長穴形状とすることもできる。
【００５０】
≪タグの装着方法≫
本実施の形態のタグ用クリップ１０を用いたタグ１の装着方法は、次のとおりである。
【００５１】
まず、図５に示すように、短い方のバンド部３に形成された２つのセット穴６にオスクリップ本体１２に形成された２つのピン１８を通し、タグ用クリップ１０をタグ１に取り付ける。
【００５２】
この際、ピン１８は、タグ１の裏面側からセット穴６に挿入する。なお、ピン１８は、その頭部２２が半球状に形成されているため、スムーズにセット穴６に通すことができる。
【００５３】
また、ピン１８は、その先端外周部に係止片２４が突出して設けられているので、この係止片２４がセット穴６を通過するまでピン１８を押し込んで、セット穴６に挿入する。これにより、ピン１８に対してセット穴６から抜ける方向の力が働いた場合であっても、係止片２４がセット穴６の周縁に係合し、容易に抜けるのが防止される。また、係止片２４は、矩形の板片状に形成され、かつ、ピン１８の外周に放射状に形成されているため、セット穴６に通す際、無理な力を掛けなくても、スムーズにセット穴に通すことができる。これにより、ピン１８をセット穴６に通す作業を簡便に行うことができるとともに、確実にセット穴６に通すことができる。
【００５４】
以上のようにして、タグ用クリップ１０をタグ１に取り付けたのち、タグ１を荷物の取手等に巻き付ける。そして、荷物の取手等の太さに合わせて、長い方のバンド部４に形成されたタグ穴７を選択し（隣り合う一組のタグ穴を選択する）、その選択したタグ穴７にピン１８を通す。この場合も、ピン１８は、係止片２４がタグ穴７を通過するまで押し込んで、タグ穴７に挿入する。この作業は、上記のように、ピン１８は無理な力を掛けなくても、スムーズに係止片２４を乗り越えさせて、タグ穴７に挿入することができる。これにより、確実にピン１８をタグ穴７に通すことができる。
【００５５】
係止片２４を通過するまでピン１８を通すことにより、係止片２４がタグ穴７の周縁部に係合し、タグ１が外れるのが防止される。すなわち、仮止めされる。
【００５６】
この後、ヒンジ１６によってメスクリップ本体１４をオスクリップ本体１２に向けて折り畳む。
【００５７】
メスクリップ本体１４をオスクリップ本体１２に向けて折り畳むと、図４に示すように、メスクリップ本体１４に形成されたピン孔３４にピン１８が嵌め込まれる。
【００５８】
ここで、ピン孔３４は、ピン１８よりも小さい径で形成されるが（ピン１８に形成されたクビレ部２０と略同じ径で形成）、拡縮可能に形成されているため、拡径しながらピン１８が挿入される。そして、ピン１８がクビレ部２０まで挿入されると、縮径してピン１８のクビレ部２０に嵌合する（正確には、ピン孔３４を形成するフラップ部３２の先端部がクビレ部２０に嵌合する）。これにより、ピン１８の軸方向の移動が規制され、ピン１８がピン孔３４から抜けるのが防止される。
【００５９】
また、上記のように、ピン孔３４は、一度拡径したのち縮径してピン１８のクビレ部２０に嵌まるが、クビレ部２０に嵌まる際、その内周の縁部でクビレ部２０の壁面を打つ。これにより、音（係合音）が鳴り、ピン１８がピン孔３４に嵌まったことを明確に認識することができる。
【００６０】
また、上記のように、ピン１８は、セット穴６及びタグ穴７に通す際、確実に係止片２４を通過させて挿入することができるため、ピン１８をピン孔３４に嵌めても、タグ１の生地を噛み込むことがない。これにより、確実にピン１８をピン孔３４に嵌めることができる。また、無理な力を掛けずにピン１８をピン孔３４に嵌めることができる。さらに、確実に係合音を鳴らすことができ、ピン１８がピン孔３４に嵌まったことを確実に了知することができる。
【００６１】
ピン孔３４に嵌まったピン１８は、図４に示すように、頭部２２のみがフラップ部３２から突出する。この頭部２２は、メスクリップ本体１４の表面から突出することなく、収容孔３０に完全に収容される。これにより、引っ掛かり等が発生するのを防止できる。
【００６２】
以上一連の作業でタグ１の装着が完了する。タグ１を巻き止めたタグ用クリップ１０は、ピン１８がピン孔３４から抜けることがないため、確実にタグ１を荷物等に装着することができる。また、生地を噛み込むことなく取り付けることができるため、途中で外れることもない。
【００６３】
≪その他の実施の形態≫
図６、図７は、タグ用クリップの変形例を示す平面図、側面図である。
【００６４】
同図に示すように、本例のタグ用クリップ１００は、１つのタグ穴にピンを通して、タグを環状に巻き止めるタイプのものである。
【００６５】
このように、オスクリップ本体１１２に形成するピン１１８の数は、特に限定されるものではなく、１つとすることもできる。この場合、メスクリップ本体１１４に形成するピン孔１３４も１つとされる。
【００６６】
なお、上記実施の形態で示したタグ用クリップ１０のように、２つのピン１８を備え、２つのタグ穴にピンを通して、タグを環状に巻き止める構成とすることにより、装着したタグが、ピンを軸に回動するのを防止でき、タグの装着性を向上させることができる。
【００６７】
また、本例のタグ用クリップ１００は、上記実施の形態のピン１８のようにクビレ部を形成せずに一定の太さで形成している。この場合、ピン１８の外径は、ピン孔３４の内径と略同じ径で形成される。
【００６８】
このように、ピンには必ずしもクビレ部を設ける必要はないが、クビレ部を形成することにより、ピンの剛性を高めることができる。また、ピンに突出して形成される係止片の突出量も抑えることができ、係止片の剛性も確保することができる。
【００６９】
また、本例のタグ用クリップ１００は、３つの係止片１２４を放射状に配置している。このように、係止片は必ずしも４つである必要はなく、タグ穴の抜けを防止可能に形成されていればよい。したがって、少なくとも２つ形成されていればよい。
【００７０】
また、本例のタグ用クリップ１００は、フラップ部１３２の４箇所にスリット１３６を形成している。このように、スリット１３６の形成数は、特に限定されるものではなく、フラップ部１３２を弾性変形させることができるように形成されていればよい。なお、スリットの数が多すぎると、ピンがピン孔から抜けやすくなるため、必要最小限の数に留めることが好ましい。
【００７１】
また、符号１１６はヒンジであり、符号１３８は、ヒンジ１１６に設けられた貫通孔である。
【００７２】
なお、図示を省略するが、ヒンジ１１６は、貫通孔１３８を省略し、幅方向（図６における上下方向）にわたって断面Ｕ字型の溝を形成することもできる。すなわち、折り畳みの際、伸張する側（図７における下端側）に断面Ｕ字型（図７で説明すると、逆Ｕ字型）の溝を形成することにより、折り畳む際に折れ曲げやすくするとともに、外部に突出する突起部分を減少させることができるものである。
【００７３】
上記は一例であって、ヒンジ１１６には、上記実施の形態のヒンジ１６に形成したクビレ４０を設け、そのクビレ４０の間の貫通孔１３８を省略して、上記の断面Ｕ字型の溝を設けるようにしてもよい。
【００７４】
（変形形態）
以上説明した実施形態に限定されることなく、種々の変形や変更が可能であって、それらも本発明の範囲内である。
【００７５】
各実施形態において、タグ用クリップは、荷物の取手等にタグを装着するときに用いる例を挙げて説明した。これに限らず、例えば、タグ用クリップは、様々なタグに利用可能である。ここで、タグとは、情報を表示する表示片を意味し、名札やチケット等も含むものとする。そして、タグ用クリップは、これらのタグを、例えば、ボタンホールに通して装着したりするような用途に用いてもよく、取付け対象物はどのような形態であってもよい。
【００７６】
なお、実施形態及び変形形態は、適宜組み合わせて用いることもできるが、詳細な説明は省略する。また、本発明は以上説明した各実施形態によって限定されることはない。
【符号の説明】
【００７７】
１…タグ、２…表示部、３…バンド部（短）、４…バンド部（長）、６…セット穴（タグ穴）、７…タグ穴、１０…タグ用クリップ、１２…オスクリップ本体、１４…メスクリップ本体、１６…ヒンジ、１８…ピン、２０…クビレ部、２２…頭部、２４…係止片、３０…収容孔、３２…フラップ部、３４…ピン孔、３６…スリット、３８…貫通孔、４０…クビレ、１００…タグ用クリップ、１１２…オスクリップ本体、１１４…メスクリップ本体、１１８…ピン、１２４…係止片、１３２…フラップ部、１３４…ピン孔、１３６…スリット、１３８…貫通孔
【図１】
2013215336.tif 000003
【図２】
2013215336.tif 000004
【図３】
2013215336.tif 000005
【図４】
2013215336.tif 000006
【図５】
2013215336.tif 000007
【図６】
2013215336.tif 000008
【図７】
2013215336.tif 000009